(57)【要約】【課題】家電機器の動作状況に細かく対応して、動作状況に応じて外部サーバへ送信する情報を選択することができる家電制御装置、ネットワーク家電システム及び情報送信方法を提供する。【解決手段】家電機器１に関する情報を収集する外部サーバ３へ通信ネットワーク４を介して送信する情報を選択するための条件が規定された定義ファイルを記憶する記憶部２ｃと、家電機器１から送信された情報を解析し、定義ファイルと比較して外部サーバ３へ送信する転送情報を抽出する制御解析処理部２ｂと、制御解析処理部２ｂにおいて抽出された転送情報を通信ネットワーク４を介して外部サーバ３へと送信する処理を行う転送処理部２ｅとを備える。【選択図】図３
2011002990.tif 000002
【特許請求の範囲】
【請求項１】
家電機器に関する情報を収集する外部サーバへ通信ネットワークを介して送信する情報を選択するための条件が規定された定義ファイルを記憶する記憶部と、
前記家電機器から送信された情報を解析し、前記定義ファイルと比較して前記外部サーバへ送信する転送情報を抽出する制御解析処理部と、
前記解析処理部において抽出された転送情報を前記通信ネットワークを介して前記外部サーバへと送信する処理を行う転送処理部と、
を備えることを特徴とする家電制御装置。
【請求項２】
前記家電制御装置は、さらに、
前記家電機器から情報を取得する情報取得部と、
前記記憶部に記憶されている前記定義ファイルを更新、或いは新たな定義ファイルを追加するために前記外部サーバに対して前記定義ファイルを取得する定義ファイル取得部と、
を備えることを特徴とする請求項１に記載の家電制御装置。
【請求項３】
通信機能を備える家電機器と、
前記家電機器と接続される請求項１または請求項２に記載の家電制御装置と、
通信ネットワークによって前記家電制御装置と接続され、前記家電制御装置によって抽出、選択された前記家電機器に関する情報を受信し収集する外部サーバと、
を備えることを特徴とするネットワーク家電システム。
【請求項４】
家電制御装置が、通信機能を備える家電機器の動作が記録された動作履歴情報を取得するステップと、
前記家電制御装置が保持する定義ファイルと前記動作履歴情報とを比較するステップと、
前記動作履歴情報に記録されている情報が、前記定義ファイルに規定された転送条件が充足されているか否か解析するステップと、
前記転送条件を満たしていた場合に、前記定義ファイルに基づいて前記動作履歴情報から外部サーバへ転送する情報を抽出するステップと、
前記抽出された転送情報を通信ネットワークを介して前記外部サーバへと送信するステップと、
を備えることを特徴とする情報送信方法。
【請求項５】
前記転送条件が充足されていない場合には、前記外部サーバに対して前記動作履歴情報を前記外部サーバへ送信することのできる転送条件を備える新たな定義ファイルを送信するように前記家電制御装置の定義ファイル取得部が前記外部サーバへ要求するステップと、
前記要求に応じて適切な定義ファイルを前記家電制御装置が取得するステップと、を備え、
前記家電制御装置は、前記新たな定義ファイルに基づいて前記動作履歴情報から外部サーバへ転送する情報を抽出することを特徴とする請求項４に記載の情報送信方法。
【発明の詳細な説明】
【技術分野】
【０００１】
本発明は、外部ネットワークに接続されて家電機器の情報を送信する家電制御装置とこの家電制御装置を備えるネットワーク家電システム及び情報送信方法に関する。
【背景技術】
【０００２】
近頃の家電機器の多くは、家電機器内で生じた事象や動作の履歴を事象が発生した時刻とともに記憶することができるようにされている。また、家庭内にある複数の家電機器が無線、或いは、有線にて家電制御装置と接続され、さらにこの家電制御装置がインターネットを介して外部サーバと接続されることによって、この外部サーバに各家電機器の状態に関する情報が送信されるネットワーク家電システムも構築されている。このようなネットワーク家電システムは、家電機器の処理実行の証明や、不具合の解析、利用状況の把握等のために各家電機器に関する情報を収集するとともに、例えば利用者の携帯情報端末を用いて外部から、例えば、照明やエアコンといった家電機器の操作を行うこともできるようにされている。
【０００３】
このようなシステムを、例えば、家電機器に対する故障検出及び故障予測に利用した例が、例えば、以下の特許文献１に開示されている。特許文献１に記載の機器管理システムにおいては、管理装置（上述の「外部サーバ」に該当）が被管理機器（上述の「家電機器」に該当）の取得可能な機器状態情報の中から取得すべき機器状態情報及び当該機器状態情報の検出間隔を被管理機器へ通知し、被管理機器が通知された機器状態情報を通知された検出間隔で取得する。その結果、管理装置により被管理機器の取得する機器状態情報及びその検出間隔を任意に変更することができ、被管理機器に対する故障検出および故障予測に好適な機器状態情報を収集して被管理機器の故障検出および故障予測を正確に行うことができる、とされる。
【先行技術文献】
【特許文献】
【０００４】
【特許文献１】特開２００４−２１４７８５号公報
【発明の概要】
【発明が解決しようとする課題】
【０００５】
しかしながら、従来のネットワーク家電システムや上記特許文献１に開示されている機器管理システムでは、以下の点に配慮されていない。
【０００６】
すなわち、従来のネットワーク家電システムにおいては、利用者による外部からの制御（遠隔制御）を的確に行うために、例えば、制御される家電機器に関する情報を漏らさず外部サーバへ送信することとされていた。但し、この外部サーバに数多くの家電機器（家電制御装置）が接続されると、送られてくる情報量が膨大なものになってしまい、外部サーバへ掛かる負荷は深刻なものである。
【０００７】
また、上記特許文献１に記載の機器管理システムにおいては、管理装置が被管理装置に対して取得可能な機器状態情報の中から取得すべき機器状態情報及び当該機器状態情報の検出間隔を被管理機器へ通知することで、管理装置（外部サーバ）へ送信される情報の量を制限している。
【０００８】
但し、このような方法では、管理装置から指定される一定周期での情報の収集となるため、本来必要な異常時の情報のみではなく正常な動作に関する情報も集め続けることになる。また、情報の収集間隔を変更するときには管理装置側から変更指示を行う必要があり、被管理装置側の状態の変化に合わせて自動的に適切な収集方法に変更することができない。
【０００９】
本発明は上記課題を解決するためになされたものであり、本発明の目的は、家電機器の動作状況に細かく対応して、動作状況に応じて外部サーバへ送信する情報を選択することができる家電制御装置、ネットワーク家電システム及び情報送信方法を提供することである。
【課題を解決するための手段】
【００１０】
本発明の実施の形態に係る第１の特徴は、家電制御装置において、家電機器に関する情報を収集する外部サーバへ通信ネットワークを介して送信する情報を選択するための条件が規定された定義ファイルを記憶する記憶部と、家電機器から送信された情報を解析し、定義ファイルと比較して外部サーバへ送信する転送情報を抽出する制御解析処理部と、制御解析処理部において抽出された転送情報を通信ネットワークを介して外部サーバへと送信する処理を行う転送処理部とを備える。
【００１１】
本発明の実施の形態に係る第２の特徴は、ネットワーク家電システムにおいて、通信機能を備える家電機器と、家電機器と接続され、家電機器に関する情報を収集する外部サーバへ通信ネットワークを介して送信する情報を選択するための条件が規定された定義ファイルを記憶する記憶部と、家電機器から送信された情報を解析し、定義ファイルと比較して外部サーバへ送信する転送情報を抽出する制御解析処理部と、制御解析処理部において抽出された転送情報を通信ネットワークを介して外部サーバへと送信する処理を行う転送処理部とを備える家電制御装置と、通信ネットワークによって家電制御装置と接続され、家電制御装置によって選択された家電機器に関する情報を受信し収集する外部サーバとを備える。
【００１２】
本発明の実施の形態に係る第３の特徴は、情報送信方法において、家電制御装置が、通信機能を備える家電機器の動作が記録された動作履歴情報を取得するステップと、家電制御装置が保持する定義ファイルと動作履歴情報とを比較するステップと、動作履歴情報に記録されている情報が、定義ファイルに規定された転送条件が充足されているか否か解析するステップと、転送条件を満たしていた場合に、定義ファイルに基づいて動作履歴情報から外部サーバへ転送する情報を抽出するステップと、抽出された転送情報を通信ネットワークを介して前記外部サーバへと送信するステップとを備える。
【発明の効果】
【００１３】
本発明によれば、家電機器の動作状況に細かく対応して、動作状況に応じて外部サーバへ送信する情報を選択することができる家電制御装置、ネットワーク家電システム及び情報送信方法を提供することができる。
【図面の簡単な説明】
【００１４】
【図１】本発明の実施の形態におけるネットワーク家電システムを示す全体図である。
【図２】本発明の実施の形態における家電制御装置の内部構成を示すブロック図である。
【図３】本発明の実施の形態において家電制御装置が家電機器に関する情報を外部サーバへ送信する流れを示すフローチャートである。
【図４】本発明の実施の形態において家電制御装置が外部サーバへ送信する家電機器に関する情報を選択する流れを示すフローチャートである。
【図５】本発明の実施の形態における定義ファイルの内容を示した模式図である。
【発明を実施するための形態】
【００１５】
以下、本発明の実施の形態について図面を参照して詳細に説明する。
【００１６】
図１に示すように、本発明の実施の形態におけるネットワーク家電システムＳは、家Ｈにある家電機器１と、この家電機器１と接続される家電制御機器２と、家電機器１に関連する情報を記憶格納する外部サーバ３と、から構成される。家電制御装置２と、外部サーバ３とは例えば、インターネット等の通信ネットワーク４を介して互いに接続されている。
【００１７】
家電機器１は、例えば冷蔵庫、エアコン、洗濯機、照明装置、或いはテレビといった家Ｈ内、或いはその外部に設置される機器の総称である。家電機器１は、図１に示すように、その内部に外部機器である家電制御装置２からの要求を受信する受信部１ａと、受信した要求の内容を解析する機器解析処理部１ｂと、家電機器１の動作の履歴等を記憶する記憶部１ｃと、家電制御装置２へ情報を送信する送信部１ｄとから構成されている。このうち、受信部１ａ及び送信部１ｄが家電機器１が備える外部機器との通信を可能にする通信装置としての役割を果たす。
【００１８】
家電機器１と家電制御装置２とは、宅内通信ネットワーク５を介して相互に通信可能に接続されている。そのため、家電機器１は、家電制御装置２と接続されてその運転を制御され、また、家電機器１に関する情報を家電制御装置２へ送信することができる。ここで、宅内通信ネットワーク５としては、例えば、有線または無線方式を用いたＬＡＮ（Local Area Network）等を用いることができるが、その方式については特に限定されない。
【００１９】
なお、家電機器１については、図１に示すネットワーク家電システムＳには１つしか表わされていないが、家電制御装置２には２以上の家電機器１が接続されていても構わない。また、図１においては家Ｈも１つ（１軒）しか表わされていないが、家Ｈについても通信ネットワーク４に何軒接続されていても良い。
【００２０】
家電制御装置２は、家Ｈの内外にある家電機器１と接続されてそれら家電機器１の制御を行う。また、家電制御装置２は通信ネットワーク４と接続されており、通信ネットワーク４を介して外部サーバ３と接続されている。従って、家電制御装置２は、家電機器１の情報を通信ネットワーク４を介して外部サーバ３へ送信し、或いは、外部サーバ３から後述する定義ファイルを受信したりすることが可能とされている。
【００２１】
図２は、家電制御装置２の内部構成を示すブロック図である。家電制御装置２は、家電機器１或いは外部サーバ３からの情報を受信する受信部２ａと、受信した情報の内容を解析する制御解析処理部２ｂと、家電機器１に関する情報の中から外部サーバ３へ送信する情報を選択するために用いる定義ファイルを記憶する記憶部２ｃと、家電機器１に関する情報を取得する情報取得部２ｄと、外部サーバ３へ情報を送信する転送処理部２ｅと、外部サーバ３から定義ファイルを取得する定義ファイル取得部２ｆと、家電機器１或いは、外部サーバ３へ情報を送信する送信部２ｇとを備える。
【００２２】
外部サーバ３は、家電制御装置２から送信されてきた情報を受信して、家電機器１や家電制御装置２の機器情報、動作履歴情報等、或いは、これらの機器を使用するユーザＩＤ等といった情報を一元的に管理する。また、家電機器１の利用者が外部サーバ３にアクセスすることで家電機器１の利用状況等を閲覧し、指示することも可能とされている。
【００２３】
外部サーバ３は、図１に示すように、その内部に家電機器１に関する情報や家電制御装置２からの要求を受信する受信部３ａと、受信した要求の内容を解析するサーバ解析処理部３ｂと、家電機器１の動作の履歴等を記憶する記憶部３ｃと、家電機器１、或いは、家電制御装置２へ情報を送信する送信部３ｄとから構成されている。このうち、受信部３ａ及び送信部３ｄが通信装置としての役割を果たす。
【００２４】
図３は、家電機器１と、家電制御装置２と、外部サーバ３との間で家電機器１の動作履歴情報等の情報が外部サーバ３に保存されるまでの流れを示したフローチャートである。ここでは、図１または図２に示した家電機器１、家電制御装置２、外部サーバ３の内部に設けられた各部の働きも併せて説明する。また、以下では家電機器１の例として洗濯機を挙げて説明を行う。但し、図３においては家電機器１と表わす。
【００２５】
まず家電機器（洗濯機）１に電源が投入される（ＳＴ１）。ここでは、特に家電制御装置２への電源投入について触れないが、両者に電源が投入されることによって両者の間に通信が確立する。
【００２６】
また、洗濯の運転が開始されると（ＳＴ２）、洗いが開始され（ＳＴ３）、次にすすぎが開始される（ＳＴ４）。すすぎが終了すると、脱水が開始される（ＳＴ５）。これら家電機器（洗濯機）１の運転状態が変更したことを示す情報を、以下、「状態変化情報」と表わす。これまでのネットワーク家電システムにおいては、これら各家電機器１の状態変化情報が全て外部サーバ３に送信されていたため、外部サーバ３の負荷が大きくなることが多かった。本発明の実施の形態におけるネットワーク家電システムＳにおいては、家電機器１が正常に運転されている限り、例えば、上述した運転開始（ＳＴ２）から洗い（ＳＴ３）へと状態が変化した場合の情報は、家電制御装置２、外部サーバ３へは送信されない。正常な運転状態を示す情報を送信しないことで、外部サーバ３へ送信する情報量を減らすことができ、外部サーバ３の負荷軽減に資する。
【００２７】
換言すれば、家電機器１の運転状態について異常が発生した場合に、初めてその状態変化情報が外部サーバ３へと送信されるために、家電機器１から家電制御装置２へと送信される。ここでは、脱水が開始されたものの（ＳＴ５参照）、脱水時において衣類の片寄りが発生したため、脱水運転にエラーが生じた場合を例に挙げて説明する。
【００２８】
エラーが発生すると（ＳＴ６）、すなわち、脱水運転の途中で家電機器（洗濯機）１の運転が止まってしまった状態を機器解析処理部１ｂがエラーであると判断すると、エラーの状態を示す状態変化情報が送信部１ｄ及び宅内通信ネットワーク５を介して家電制御装置２へと通知される（ＳＴ７）。
【００２９】
脱水時に衣類が片寄ることによって生ずる脱水ができなくなった状態を示す状態変化情報を受信した家電制御装置２は、制御解析処理部２ｂにおいてその内容を確認する（ＳＴ８）。その上で、家電機器（洗濯機）１からの状態変化情報に応じた定義ファイルを取得し、その定義ファイルを参照して転送条件を変更する（ＳＴ９）。
【００３０】
なお、ここで、「定義ファイル」とは、後述する、家電機器１から送信された動作履歴情報の中から外部サーバ３へ転送する情報を記述したファイルを示す。また、予め定義ファイルを取得しておくのは、家電機器１から送信される状態変化情報の解析により外部サーバ３へ転送するか否かの判定を行えるようにするためである。
【００３１】
通常衣類が片寄って脱水が止まってしまった場合、洗濯機の使用者がその衣類の片寄りを直して、再度脱水を開始させると考えられる。従って、図３に示す家電機器（洗濯機）１においても、再度脱水が開始されるように示されている（ＳＴ１０）。
【００３２】
家電機器（洗濯機）１は、エラーが生じて一旦運転が止まった状態から、再度脱水が開始されたという状態変化に関する情報を家電制御装置２へと送信する（脱水通知）（ＳＴ１１）。家電制御装置２は、受信した脱水通知を転送処理部２ｅ、送信部２ｇを介して外部サーバ３へと送信する（ＳＴ１２）。
【００３３】
家電機器１の状態変化情報を外部サーバ３へと送信した家電制御装置２は、さらに、家電機器１から動作履歴情報を取得する（ＳＴ１３）。ここで、「動作履歴情報」とは、家電機器の動作状態等を特定するための情報である。例えば、本発明の実施の形態のように家電機器１が洗濯機であるとすると、洗濯槽、或いは、脱水槽の回転位置に関する情報、振動に関する情報、或いは、エラーとなった回数、といった情報のことである。
【００３４】
なお、動作履歴情報としてどのような情報を定義するかは、全くの自由であり、家電機器１は予めその記憶部１ｃにいずれかの情報を記憶するようにされている。
【００３５】
この動作履歴情報を外部サーバ３に収集し、解析することによって、家電機器１に関する様々な情報を取得することができるとともに、例えば、利用者の遠隔操作による家電機器１の操作を行う際に有益な情報を利用者に対して提供することができる。
【００３６】
制御解析処理部２ｂは、情報取得部２ｄを介して家電機器（洗濯機）１に対して動作履歴情報の取得要求を行う（ＳＴ１４）。動作履歴情報取得要求を受けた家電機器（洗濯機）１は、機器解析処理部１ｂが記憶部１ｃから該当する情報を入手し、送信部１ｄを介して家電制御装置２へと送信する（ＳＴ１５）。家電制御装置２では、受信した動作履歴情報を基に外部サーバ３へ送信する情報を抽出し、選択して転送する（ＳＴ１６）。
【００３７】
図４は、制御解析処理部２ｂが記憶部２ｃに記憶されている定義ファイルに基づいて家電機器（洗濯機）１から送信された動作履歴情報とを比較して、外部サーバ３へ送信する情報を選択する流れを示したフローチャートである。
【００３８】
まず、制御解析処理部２ｂが家電機器（洗濯機）１から動作履歴情報を取得する（ＳＴ１６ａ）。さらに制御解析処理部２ｂは、定義ファイルに記載されている転送条件を確認する（ＳＴ１６ｂ）。転送条件とは、動作履歴情報の中で家電機器１の状態に応じて外部サーバ３へと送信することが求められている情報のことである。すなわち、転送条件としてａ，ｂ，ｃといった３つの情報を転送するように定められている場合に、この３つの情報が動作履歴情報の中に存在することが家電制御装置２から外部サーバ３へと動作履歴情報を送信するための条件となる。
【００３９】
図５は、定義ファイルの内容を示す一例である。ここでは、家電機器（洗濯機）１に「衣類片寄り」による＜異常＞が発生した場合に、どのような内容の動作履歴情報を転送情報として外部サーバ３へと送信するのかを示している。この定義ファイルでは、『状態変化通知（状態変化情報を示す）が脱水中から脱水完了までの間に、家電機器（洗濯機）１内のＥＥＰＲＯＭ（Electrically Erasable Programmable Read-Only Memory）に記憶されている動作履歴情報の「すべて」を外部サーバ３へと転送情報として転送する』、ということを意味している。
【００４０】
図５に示す定義ファイルでは、家電機器（洗濯機）１から送信されたＥＥＰＲＯＭ内の動作履歴情報については、その全ての情報を外部サーバ３へと送信するようにされているので、特に転送条件は設けられていないに等しい。この外部サーバ３への＜送信情報＞部分が、例えば、「特定の家電機器を指定」と定義されている場合には、家電制御装置２は転送条件に合致するようにその指定された家電機器に関する情報のみを抽出して外部サーバ３へと送信することになる。
【００４１】
転送条件が確認されたら、制御解析処理部２ｂは次に、上述したステップ９において既に取得している定義ファイルとこの動作履歴情報とを比較して（ＳＴ１６ｃ）、動作履歴情報の中に転送条件を満たす情報が含まれているか確認を行う（ＳＴ１６ｄ）。その結果、転送条件を充足したと判断できる場合には（ＳＴ１６ｄのＹＥＳ）、定義ファイルに基づいて動作履歴情報の中から転送される情報を抽出する（ＳＴ１６ｅ）。
【００４２】
一方、転送条件が充足されない場合には（ＳＴ１６ｄ）、制御解析処理部２ｂは、送信されてきた動作履歴情報が転送条件を充足することのできる定義ファイルを外部サーバ３から取得するように、定義ファイル取得部２ｆに対して外部サーバ３へ転送要求を送信することを指示する（ＳＴ１６ｆ）。
【００４３】
転送要求を受信した外部サーバ３では、サーバ解析処理部３ｂで該当する定義ファイルを記憶部３ｃから入手し、送信部３ｄ、通信ネットワーク４を介して家電制御装置２へと送信する。外部サーバ３から適切な定義ファイルを取得した家電制御装置２は（ＳＴ１６ｇ）、記憶部２ｃに記憶させるとともに、転送処理部２ｅにて改めてこの定義ファイルを用いて動作履歴情報から外部サーバ３へと送信するべき情報を抽出する（ＳＴ１６ｅ）。
【００４４】
制御解析処理部２ｂにおいて、動作履歴情報から定義ファイルに基づいて外部サーバ３へと送信される情報が抽出されると、転送処理部２ｅにおいて外部サーバ３へと転送情報を送信するための準備を行い（ＳＴ１６ｈ）、送信部２ｇ、通信ネットワーク４を介して外部サーバ３へと転送情報が送信される（図３のＳＴ１７参照）。
【００４５】
この間、家電機器（洗濯機）１は適宜脱水が完了することになる（ＳＴ１８）。このように家電機器（洗濯機）１の状態がさらに変化して状態変化情報、ここでは脱水完了通知が家電機器（洗濯機）１から家電制御装置２へと送信される（ＳＴ１９）まで、家電機器（洗濯機）１から家電制御装置２への動作履歴情報の送信（ＳＴ１５）、定義ファイルに基づく転送情報の抽出（ＳＴ１６）、外部サーバ３への転送情報の送信（ＳＴ１７）が繰り返し行われる。
【００４６】
なお、状態変化情報が脱水中から脱水完了までの間に、転送情報を家電制御装置２から外部サーバ３へと送信するのは、上述した図５に示す定義ファイルの一例に示すとおりである。従って、いずれの間に転送情報を家電制御装置２から外部サーバ３へと送信するかについては、定義ファイルを変更することによって任意に設定することができる。また、予め定められた状態変化情報を受信したことをもって外部サーバ３への転送情報の送信を終了するのではなく、例えば、予め設定された時間内に限って送信する、或いは、家電制御装置２が最初に家電機器１から動作履歴情報を受信してから何度動作履歴情報を受信したかに基づいて、すなわち、家電制御装置２の動作履歴情報の受信回数を基に定義ファイルを定めても良い。
【００４７】
脱水完了通知を家電機器（洗濯機）１から受信した家電制御装置２は、さらに外部サーバ３へと脱水完了通知を送信する（ＳＴ２０）。
【００４８】
以上説明したように、家電機器から外部サーバへと送信される情報を、家電制御装置において、定義ファイルに基づいて家電機器から送信された情報の中から選択抽出することによって、外部サーバへ送信する情報量を大きく減らすことができる。しかも、定義ファイルは、外部サーバが必要とする情報に基づいて定義されていることから、定義ファイルに従って外部サーバへと家電機器の情報を送信すれば、外部サーバ３は必要にして十分な情報を漏れなく収集することができる。  
従って、家電機器の動作状況に細かく対応して、動作状況に応じて外部サーバへ送信する情報を選択することができる家電制御装置、ネットワーク家電システム及び情報送信方法を提供することができる。
【００４９】
なお、上述の説明においては、家電機器から送信された動作履歴情報が定義ファイルに定義されている転送条件に合致しない場合に家電制御装置が外部サーバ３へと定義ファイルの取得要求を行っているが、例えば、定期的に定義ファイルの取得要求を出し、家電制御装置に記憶されている定義ファイルを更新するように設定しても良い。また、例えば、家電制御装置の電源が投入されるたびに外部サーバ３へ定義ファイル取得要求を出して定義ファイルの更新を行うようにしても良い。
【００５０】
なお、この発明は、上述実施の形態そのままに限定されるものではなく、実施段階ではその要旨を逸脱しない範囲で構成要素を変形して具体化できる。また、上記実施の形態に開示されている複数の構成要素を適宜組み合わせることにより種々の発明を形成できる。例えば、実施の形態に示される全構成要素から幾つかの構成要素を削除してもよく、異なる実施の形態に亘る構成要素を適宜組み合わせてもよい。
【符号の説明】
【００５１】
１  …家電機器
２  …家電制御装置
２ａ…受信部
２ｂ…制御解析処理部
２ｃ…記憶部
２ｄ…情報取得部
２ｅ…転送処理部
２ｆ…定義ファイル取得部
２ｇ…送信部
３  …外部サーバ
４  …通信ネットワーク
５  …宅内通信ネットワーク
Ｈ  …家
Ｓ  …ネットワーク家電システム
【図１】
2011002990.tif 000003
【図２】
2011002990.tif 000004
【図３】
2011002990.tif 000005
【図４】
2011002990.tif 000006
【図５】
2011002990.tif 000007